(57)【要約】      （修正有）【課題】工具袋が非常に重い場合にも１本のループの負担が少なく、ループの損傷を少なくできるようにした腰当てを提供する。【解決手段】腰ベルトが挿通されて使用者の腰に装着される腰当てにおいて  腰当て本体１０が上記腰ベルト２０の上下幅より幅広の帯板状をなし、上記腰当て本体１０の長手方向の両端部及び中央に帯状のベースループ１１が縦にしてかつ腰ベルト２０を挿通し得るように両端を止着する。また、上記腰当て本体１０の両端部及び中央のベースループ１１の間には帯状の複数の中間ループ１２がループ横幅よりも短い間隔をあけて縦にしてかつ腰ベルト２０を挿通し得るように両端を止着する。【選択図】図１
0003177587.tif 000002
【実用新案登録請求の範囲】
【請求項１】
腰ベルトが挿通されて使用者の腰に装着される腰当てにおいて、
腰当て本体（１０）が上記腰ベルト（２０）の上下幅より幅広の帯板状をなし、上記腰当て本体（１０）の長手方向の両端部及び中央に帯状のベースループ（１１）が縦にしてかつ腰ベルト（２０）を挿通し得るように両端を止着され、上記腰当て本体（１０）の両端部及び中央のベースループ（１１）の間には帯状の複数の中間ループ（１２）がループ横幅よりも短い間隔をあけて縦にしてかつ腰ベルト（２０）を挿通し得るように両端を止着されていることを特徴とする腰当て。
【請求項２】
上記腰ベルトが上記複数のうちの、選択された本数の中間ループ（１２）を飛び越して挿通され、該腰ベルト（２０）の飛び越し部位には工具袋（３０）が取付けられる請求項１記載の腰当て。
【考案の詳細な説明】
【技術分野】
【０００１】
本考案は腰当てに関し、特に工具袋が非常に重い場合にも１本のループの負担が少なく、ループの損傷を少なくできるようにした腰当てに関する。
【背景技術】
【０００２】
建築工事、電気工事、土木工事などでは、ハンマー、スパナ、ドライバ、ニッパなどの工具を入れた工具袋（工具ケースを含む）や釘などを入れた釘袋（以下、単に「工具袋」ともいう）の取付け部に腰ベルトを挿通し、工具袋の重量物を作業者の腰に負担をかけることなく吊り下げられるようにした腰当てが提案されている。
【０００３】
従来の腰当てでは、腰当ての本体が腰ベルトよりも幅広な帯板状をなし、本体の長手方向の両端部及び中央にループを縦に設けてその両端を縫合などによって止着し、ループに腰ベルトを挿通できるようにした構造が採用されている（特許文献１、特許文献２）。
【先行技術文献】
【特許文献】
【０００４】
【特許文献１】実開平０７−３１０１４号公報
【特許文献２】特開２００３−１３５１３１号公報
【考案の開示】
【考案が解決しようとする課題】
【０００５】
しかし、特許文献１、２記載の腰当てでは中央と両端部にループを設け、作業者の利腕に応じて左右いずれか一方のループと中央のループとの間に工具袋を吊り下げるようにしているので、２本のループ、中央に２本のループが設けられている場合でも３本のループによって工具袋の重量を負担しなければならず、工具袋が非常に重い場合にはループが損傷を受けやすいという問題があった。
【０００６】
本考案はかかる問題点に鑑み、工具袋が非常に重い場合にも１本のループの負担が少なく、ループの損傷を少なくできるようにした腰当てを提供することを課題とする。
【課題を解決するための手段】
【０００７】
そこで、本考案に係る腰当ては、腰ベルトが挿通されせて使用者の腰に装着される腰当てにおいて、腰当て本体が上記腰ベルトの上下幅より幅広の帯板状をなし、腰当て本体の長手方向の両端部及び中央に帯状のベースループが縦にしてかつ腰ベルトを挿通し得るように両端を止着され、上記腰当て本体の両端部及び中央のベースループの間には帯状の複数の中間ループがループ横幅よりも短い間隔をあけて縦にしてかつ腰ベルト（２０）を挿通し得るように両端を止着されていることを特徴とする。
【０００８】
本考案の特徴の１つは、腰当て本体に複数の中間ループを狭い間隔をあけて設けるようにした点にある。
【０００９】
これにより、複数のうちの、選択された本数の中間ループを飛び越して腰ベルトをベースループ及び中間ループに挿通し、腰ベルトの飛び越し部位には工具袋を取付けることができ、工具袋の重さはベースループと複数の中間ループによって受けられるので、工具袋の重さによるループの損傷を少なくでき、腰当ての耐久性を保証できる。
【００１０】
腰当て本体の材質は特に限定されず、例えば発泡体を化学繊維製の織布やシートで覆ったものを採用できる。また、ループの材質は特に限定されず、化学繊維の織布を採用することができる。
【図面の簡単な説明】
【００１１】
【図１】本考案に係る腰当ての好ましい実施形態を示す概略斜視図である。
【図２】上記実施形態を示す正面図である。
【図３】上記実施形態を示す背面図である。
【図４】上記実施形態の使用例を示す図である。
【考案を実施するための形態】
【００１２】
以下、本考案を図面に示す具体例に基づいて詳細に説明する。図において、腰当て本体１０は腰ベルト２０の上下幅よりも幅広の帯板状をなし、発泡ポリエチレンや発泡ウレタンの板の表面をポリエチレン繊維やポリカーボネート繊維などの化学繊維を用いた織布１０Ａ〜１０Ｃで被覆し周縁を補強布で補強して製造されている。
【００１３】
また、腰当て本体１０の表面には腰当て本体１０よりも幅狭であるが腰ベルト２０よりも幅広の帯状の補強帯１３が縫合などによって取付けられ、補強帯１３は発泡ポリエチレンや発泡ウレタンの板の表面をポリエチレン繊維やポリカーボネート繊維などの化学繊維を用いた織布で被覆して製造されている。
【００１４】
この補強帯１３の両端及び中央には腰ベルト２０が必ず挿通されるべき帯状のベースループ１１が縦にしてかつ腰ベルト２０が挿通し得るように両端を補強帯１３に縫合などによって止着され、又ベースループ１１の下端部は面ファスナーなどによって着脱可能となっている。なお、中央のベースループ１１は１本ではなく、複数本であってもよい。また、ベースループ１１の下端部は固定されていてもよい。
【００１５】
また、補強帯１３には両端及び中央のベースループ１１の間に帯状の複数の中間ループ１２がそのループ間隔よりも狭い間隔をあけて縦にしてかつ腰ベルト２０を挿通し得るように両端を補強帯１３に縫合などによって止着されている。ここで、ベースループ１１及び中間ループ１２はポリエチレン繊維やポリカーボネート繊維などの化学繊維を用いた織布で製作されている。
【００１６】
さらに、両側のベースループ１１には上下両端に金属製リング１４が取付けられ、中央のベースループ１１には上端に金属製リング１４が取付けられ、安全ベルトなどのフックを引っ掛け、ロープを挿通できるようになっている。
【００１７】
本例の腰当てを使用する場合、図１に示されるように、腰当て本体１０の中間ループ１２のうちから選択した中間ループ１２を飛び越えて腰ベルト２０を挿通させるが、そのとき中間ループ１２を飛び越した腰ベルト２０の部分に工具袋３０の取付け部３１を挿通させる。
【００１８】
この腰当てに挿通した腰ベルト２０を図４に示されるように作業者の腰に廻してバックル２１によって取付けると、工具袋３０を吊り下げた腰当てを作業者の腰に背後から抱きつくように装着することができる。
【００１９】
この状態では工具袋３０の重みは左側のベースループ１１、中央のベースループ１１及びその間の複数の中間ループ１２によって分担されるので、工具袋３０内の工具や釘などが非常に重くても、ベースループ１１及び中間ループ１２に大きな負荷が加わるおそれが少なく、損傷のおそれを少なくして耐久性を保証できる。
【００２０】
また、複数の中間ループ１２を中央のベースループ１１と左側のベースループ１１との間だけではなく、中央のベースループ１１と右側のベースループ１１との間にも設けているので、腰当ての左側及び右側のいずれにも工具袋３０を吊り下げることができる。
【符号の説明】
【００２１】
１０      腰当て本体
１１      ベースループ
１２      中間ループ
２０      腰ベルト
３０      工具袋
３１      取付け部
【図１】
0003177587.tif 000003
【図２】
0003177587.tif 000004
【図３】
0003177587.tif 000005
【図４】
0003177587.tif 000006